(57)【要約】  鋏（１）は、刃部（３）、中途部（４）及び柄部（５）が先端側から順に形成された一対の刃体（２）を有する。柄部（５）は、枢軸（４ｂ）の軸心に沿って対向するとともに刃体（２）の長手方向に沿って互いに平行に延びる平坦な板状をなす第１及び第２プレス体（７、８）と、第１及び第２プレス体（７、８）を橋絡する円筒カラー（１１、１２）及び第１及び第２樹脂体（９Ａ、９Ｂ）とを有する。第１プレス体（７Ａ）は、第２プレス体（８Ａ）よりも中途部（４）側に延びて当該中途部（４）に接続される延出部（７ｄ）を有する一方、第２プレス体（８Ａ）は、中途部（４）と離間している。
2019163569.tif 000002
【特許請求の範囲】
【請求項１】
刃部、中途部及び柄部が先端側から順に形成された一対の刃体と、
該各刃体における中途部に設けられた軸支孔に順に嵌挿され、上記両柄部の接近離間動作によって上記両刃部が開閉するよう上記両刃体を互いに回動可能に連結する枢軸とを備えた理髪用鋏であって、
上記柄部は、上記枢軸の軸心に沿って対向するとともに上記刃体の長手方向に沿って互いに平行に延びる平坦な金属板又は樹脂材からなる第１及び第２板状部と、当該第１及び第２板状部を橋絡する１つ以上の橋絡部とを備え、
上記第１板状部は、上記第２板状部よりも対応する中途部側に延びて当該中途部に接続される延出部を有する一方、上記第２板状部は、対応する中途部と離間しており、
上記一方の柄部における第１板状部は、上記枢軸の一端側に位置する一方、上記一方の柄部における第２板状部は、上記枢軸の他端側に位置しており、
上記他方の柄部における第１板状部は、上記枢軸の他端側に位置する一方、上記他方の柄部における第２板状部は、上記枢軸の一端側に位置していることを特徴とする理髪用鋏。
【請求項２】
請求項１に記載の理髪用鋏において、
上記第１板状部には、使用者の指を挿入可能な第１指輪部が形成され、
上記第２板状部の上記第１指輪部に対向する位置には、使用者の指を挿入可能な第２指輪部が形成され、
上記第１板状部の第１指輪部を除く領域及び上記第２板状部の第２指輪部を除く領域には、それぞれ様々な形状をなす複数の開口部が形成されていることを特徴とする理髪用鋏。
【請求項３】
請求項２に記載の理髪用鋏において、
互いに対向する上記第１及び第２指輪部のいずれか一方は、理髪作業の際に親指を挿入した状態で親指の付け根側に位置する親指付根側指輪部であり、
互いに対向する上記第１及び第２指輪部のいずれか他方は、理髪作業の際に親指を挿入した状態で親指の先端側に位置する親指先端側指輪部であり、
上記親指付根側指輪部における上記中途部の反対側には、上記親指付根側指輪部の内側領域と外側領域とを連通させるよう切り欠かれた切欠部が設けられ、該切欠部の幅寸法が親指の幅寸法よりも大きく設定されていることを特徴とする理髪用鋏。
【請求項４】
請求項２又は３に記載の理髪用鋏において、
互いに対向する上記第１及び第２指輪部のいずれか一方は、互いに対向する上記第１及び第２指輪部のいずれか他方に比べて大きな寸法に形成されていることを特徴とする理髪用鋏。
【請求項５】
請求項４に記載の理髪用鋏において、
互いに対向する上記第１及び第２指輪部のいずれか一方は、互いに対向する上記第１及び第２指輪部のいずれか他方に比べて上記刃体の長手方向に沿う方向に幅広な寸法に設定されていることを特徴とする理髪用鋏。
【請求項６】
請求項１から５のいずれか１つに記載の理髪用鋏において、
上記一方の延出部は、理髪作業時において親指に対応する側の柄部に設けられ、鋏を把持した状態の使用者の掌から離れる方向に断面が鈍角なＶ字状となるように折り曲げられていることを特徴とする理髪用鋏。
【請求項７】
請求項１から６のいずれか１つに記載の理髪用鋏において、
上記橋絡部の少なくとも１つは、上記第１及び第２板状部の間の一部領域を埋める樹脂体であることを特徴とする理髪用鋏。
【請求項８】
請求項７に記載の理髪用鋏において、
上記樹脂体は、上記両柄部における互いに接近する側の縁部に沿うように一対設けられ、一方の樹脂体には、他方の樹脂体に向かって突出するとともに、上記両柄部を接近させて上記両刃部を閉じた際、上記他方の樹脂体に接触してそれ以上の両刃体の回動動作を阻止する接点部が設けられていることを特徴とする理髪用鋏。
【請求項９】
請求項１から７のいずれか１つに記載の理髪用鋏において、
上記一方の中途部における柄部側には、上記枢軸の軸心に沿って突出するとともに、上記両柄部を接近させて上記両刃部を閉じた際、上記他方の中途部における柄部側の縁部に接触してそれ以上の両刃体の回動動作を阻止する突出部が設けられていることを特徴とする理髪用鋏。
【請求項１０】
請求項１から９のいずれか１つに記載の理髪用鋏において、
上記延出部は、上記枢軸の軸心に沿って延びる姿勢の締結部材で上記中途部に締結されていることを特徴とする理髪用鋏。
【請求項１１】
請求項１から１０のいずれか１つに記載の理髪用鋏において、
上記橋絡部の少なくとも１つは、上記柄部の厚み方向の寸法を変更可能な寸法変更部を有していることを特徴とする理髪用鋏。
【請求項１２】
請求項１から１１のいずれか１つに記載の理髪用鋏において、
上記両柄部のいずれか一方は、理髪作業時において使用者の親指に対応しており、
上記両柄部のいずれか他方の全ての橋絡部は、上記両柄部のいずれか一方の全ての橋絡部よりも上記柄部の厚み方向における寸法が大きく形成されていることを特徴とする理髪用鋏。
【請求項１３】
請求項１から１２のいずれか１つに記載の理髪用鋏において、
上記柄部は、上記第１板状部の表面側又は上記第２板状部の表面側に所定の間隔をあけて平行に延びるよう配設された平坦な金属板又は樹脂材からなる第３板状部と、上記第１及び第３板状部か、或いは、上記第２及び第３板状部を連結する１つ以上の連結部とを備えていることを特徴とする理髪用鋏。
【請求項１４】
請求項１３に記載の理髪用鋏において、
上記第３板状部における上記第１指輪部又は上記第２指輪部に対応する位置には、使用者の指を挿入可能な第３指輪部が形成され、
上記連結部は、使用者の指が挿入可能に構成され、上記第１及び第３指輪部に嵌合可能か、或いは、上記第２及び第３指輪部に嵌合可能な柔軟性を有するリング体であることを特徴とする理髪用鋏。
【請求項１５】
請求項１３又は１４に記載の理髪用鋏において、
上記第３板状部には、裏面側に開口する湾曲凹部が形成され、
上記第１又は第２板状部の上記湾曲凹部に対応する位置には、当該湾曲凹部に遊嵌可能な突起が設けられていることを特徴とする理髪用鋏。
【請求項１６】
請求項１から１５のいずれか１つに記載の理髪用鋏において、
上記第２板状部の上記中途部側には、上記第１板状部側に折り曲げられた折曲部が形成されていることを特徴とする理髪用鋏。
【発明の詳細な説明】
【技術分野】
【０００１】
本発明は、理髪時に使用する理髪用鋏に関する。
【背景技術】
【０００２】
従来より、例えば、特許文献１に開示されている理髪用鋏は、刃部、中途部及び柄部が先端側から順に形成された一対の刃体と、該各刃体における中途部に形成された軸支孔に順に嵌挿することで両刃体を互いに回動可能に連結する枢軸とを備え、両柄部を接近又は離間させることによって両刃部が開閉するように構成されている。そして、柄部の一部には、粘弾性体が封入された中空部が形成され、柄部を軽量にすることで使用者の使用時における負荷を減らすようにしている。
【先行技術文献】
【特許文献】
【０００３】
【特許文献１】国際公開第２００６／０２２３６８号
【発明の概要】
【発明が解決しようとする課題】
【０００４】
ところで、特許文献１の如き理髪用鋏は、刃体における中途部及び柄部が鋳造により形成されることが多い。そして、その表面は、一般的に、熟練工が鏡面仕上げをすることによって意匠性が高められる。【０００５】
しかし、鏡面仕上げは熟練の技術が必要であるので、熟練工が少なくなってきている近年においては、作業工数の増加により製造コストが嵩んでしまうという問題が発生するようになってきている。【０００６】
本発明は斯かる点に鑑みてなされたものであり、その目的とするところは、軽量で使用者の使用時における負荷を減らすことができ、しかも、安価で意匠性の高い理髪用鋏を提供することにある。
【課題を解決するための手段】
【０００７】
上記の目的を達成するために、本発明は、互いに対向し、且つ、互いに平行に延びる金属板又は樹脂材からなる一対の板状部分を各柄部の構造の一部に採用したことを特徴とする。【０００８】
具体的には、刃部、中途部及び柄部が先端側から順に形成された一対の刃体と、該各刃体における中途部に設けられた軸支孔に順に嵌挿され、上記両柄部の接近離間動作によって上記両刃部が開閉するよう上記両刃体を互いに回動可能に連結する枢軸とを備えた理髪用鋏を対象とし、次のような対策を講じた。【０００９】
すなわち、第１の発明では、上記柄部は、上記枢軸の軸心に沿って対向するとともに上記刃体の長手方向に沿って互いに平行に延びる平坦な金属板又は樹脂材からなる第１及び第２板状部と、当該第１及び第２板状部を橋絡する１つ以上の橋絡部とを備え、上記第１板状部は、上記第２板状部よりも対応する中途部側に延びて当該中途部に接続される延出部を有する一方、上記第２板状部は、対応する中途部と離間しており、上記一方の柄部における第１板状部は、上記枢軸の一端側に位置する一方、上記一方の柄部における第２板状部は、上記枢軸の他端側に位置しており、上記他方の柄部における第１板状部は、上記枢軸の他端側に位置する一方、上記他方の柄部における第２板状部は、上記枢軸の一端側に位置していることを特徴とする。【００１０】
第２の発明では、第１の発明において、上記第１板状部には、使用者の指を挿入可能な第１指輪部が形成され、上記第２板状部の上記第１指輪部に対向する位置には、使用者の指を挿入可能な第２指輪部が形成され、上記第１板状部の第１指輪部を除く領域及び上記第２板状部の第２指輪部を除く領域には、それぞれ様々な形状をなす複数の開口部が形成されていることを特徴とする。【００１１】
第３の発明では、第２の発明において、互いに対向する上記第１及び第２指輪部のいずれか一方は、理髪作業の際に親指を挿入した状態で親指の付け根側に位置する親指付根側指輪部であり、互いに対向する上記第１及び第２指輪部のいずれか他方は、理髪作業の際に親指を挿入した状態で親指の先端側に位置する親指先端側指輪部であり、上記親指付根側指輪部における上記中途部の反対側には、上記親指付根側指輪部の内側領域と外側領域とを連通させるよう切り欠かれた切欠部が設けられ、該切欠部の幅寸法が親指の幅寸法よりも大きく設定されていることを特徴とする。【００１２】
第４の発明では、第２及び第３の発明において、互いに対向する上記第１及び第２指輪部のいずれか一方は、互いに対向する上記第１及び第２指輪部のいずれか他方に比べて大きな寸法に形成されていることを特徴とする。【００１３】
第５の発明では、第４の発明において、互いに対向する上記第１及び第２指輪部のいずれか一方は、互いに対向する上記第１及び第２指輪部のいずれか他方に比べて上記刃体の長手方向に沿う方向に幅広な寸法に設定されていることを特徴とする。【００１４】
第６の発明では、第１から第５のいずれか１つの発明において、上記一方の延出部は、理髪作業時において親指に対応する側の柄部に設けられ、鋏を把持した状態の使用者の掌から離れる方向に断面が鈍角なＶ字状となるように折り曲げられていることを特徴とする。【００１５】
第７の発明では、第１から第６のいずれか１つの発明において、上記橋絡部の少なくとも１つは、上記第１及び第２板状部の間の一部領域を埋める樹脂体であることを特徴とする。【００１６】
第８の発明では、第７の発明において、上記樹脂体は、上記両柄部における互いに接近する側の縁部に沿うように一対設けられ、一方の樹脂体には、他方の樹脂体に向かって突出するとともに、上記両柄部を接近させて上記両刃部を閉じた際、上記他方の樹脂体に接触してそれ以上の両刃体の回動動作を阻止する接点部が設けられていることを特徴とする。【００１７】
第９の発明では、第１から第７のいずれか１つの発明において、上記一方の中途部における柄部側には、上記枢軸の軸心に沿って突出するとともに、上記両柄部を接近させて上記両刃部を閉じた際、上記他方の中途部における柄部側の縁部に接触してそれ以上の両刃体の回動動作を阻止する突出部が設けられていることを特徴とする。【００１８】
第１０の発明では、第１から第９のいずれか１つの発明において、上記延出部は、上記枢軸の軸心に沿って延びる姿勢の締結部材で上記中途部に締結されていることを特徴とする。【００１９】
第１１の発明では、第１から第１０のいずれか１つの発明において、上記橋絡部の少なくとも１つは、上記柄部の厚み方向の寸法を変更可能な寸法変更部を有していることを特徴とする。【００２０】
第１２の発明では、第１から第１１のいずれか１つの発明において、上記両柄部のいずれか一方は、理髪作業時において使用者の親指に対応しており、上記両柄部のいずれか他方の全ての橋絡部は、上記両柄部のいずれか一方の全ての橋絡部よりも上記柄部の厚み方向における寸法が大きく形成されていることを特徴とする。【００２１】
第１３の発明では、第１から第１２のいずれか１つの発明において、上記柄部は、上記第１板状部の表面側又は上記第２板状部の表面側に所定の間隔をあけて平行に延びるよう配設された平坦な金属板又は樹脂材からなる第３板状部と、上記第１及び第３板状部か、或いは、上記第２及び第３板状部を連結する１つ以上の連結部とを備えていることを特徴とする。【００２２】
第１４の発明では、第１３の発明において、上記第３板状部における上記第１指輪部又は上記第２指輪部に対応する位置には、使用者の指を挿入可能な第３指輪部が形成され、上記連結部は、使用者の指が挿入可能に構成され、上記第１及び第３指輪部に嵌合可能か、或いは、上記第２及び第３指輪部に嵌合可能な柔軟性を有するリング体であることを特徴とする。【００２３】
第１５の発明では、第１３又は第１４の発明において、上記第３板状部には、裏面側に開口する湾曲凹部が形成され、上記第１又は第２板状部の上記湾曲凹部に対応する位置には、当該湾曲凹部に遊嵌可能な突起が設けられていることを特徴とする。【００２４】
第１６の発明では、第１から第１５のいずれか１つの発明において、上記第２板状部の上記中途部側には、上記第１板状部側に折り曲げられた折曲部が形成されていることを特徴とする。
【発明の効果】
【００２５】
第１の発明では、鋏を組み立てた際、各柄部における第１及び第２板状部の間の各橋絡部を除く部分が構造物の無い空間になる。したがって、鋏の柄部側が軽量になり、理髪作業時に柄部を動かす使用者の負荷を減らすことができる。また、柄部の表裏面を構成する部品が金属板又は樹脂材によって形成されたものであるので、その表面を鏡面仕上げする必要が無いか、或いは、その表面を鏡面仕上げするとしても、柄部を鋳造により形成する一般的な理髪用鋏に比べて手間が掛からない。したがって、鋏を製造する際の作業者の作業工数を減らすことができ、安価な理髪用鋏にすることができる。尚、一方の刃体の中途部における枢軸の一端側に一方の延出部が接続される一方、他方の刃体の中途部における枢軸の他端側に他方の延出部が接続され、さらには、両第２板状部が各中途部に接続されていないので、組み立てた鋏の両柄部を接近させた場合において、各第２板状部が相手方の刃体に接触して鋏が閉じなくなるのを回避する構造になっている。【００２６】
第２の発明では、各柄部が複数のフレームを組み合わせて形成されたような見た目になるので、鋏全体の意匠性を高めることができる。【００２７】
第３の発明では、例えば、使用者が人差し指を鋏の先端側に向けて鋏の中途部に添えた状態にするとともに第１及び第２指輪部に対して親指を斜めの姿勢にした状態で鋏を持つような場合において、親指を切欠部に嵌め込むことができるようになる。したがって、使用者は、上述の如き特殊な姿勢で鋏を持つ場合であっても、親指に負荷を掛けることなく親指を柄部にしっかりと引っ掛けて鋏の開閉動作を行うことができる。【００２８】
第４の発明では、使用者が理髪作業を行う際、親指が第１及び第２指輪部のいずれか一方の範囲内において刃体に対して第１及び第２指輪部のいずれか他方を回動支点に回動し易くなる。したがって、理髪作業時において鋏を使用者の好みに合わせた姿勢に簡単に切り替えることができるようになる。【００２９】
第５の発明では、使用者が理髪作業を行う際、特に親指を刃体の長手方向に揺らして鋏に対する手の位置を変更する場合において鋏の姿勢が切り替わり易くなり、理髪作業を効率良く行うことができるようになる。【００３０】
第６の発明では、例えば、使用者が人差し指を鋏の先端側に向けて鋏の中途部に添えた状態にするとともに第１及び第２指輪部に対して親指を斜めの姿勢にした状態で鋏を持つような場合において、親指の延長方向に第１及び第２指輪部の貫通方向が沿うようになる。したがって、第１及び第２指輪部から親指に掛かる負荷が少なくなり、使用者は、上述の如き特殊な姿勢で鋏を持つ場合であっても、親指を柄部にしっかりと引っ掛けて鋏の開閉動作を簡単に行うことができる。【００３１】
第７の発明では、第１板状部と第２板状部との間から樹脂体が見えるようになるので、柄部の意匠に変化が加わるようになり、鋏の意匠性をさらに高めることができる。【００３２】
第８の発明では、両柄部を接近させた際、両柄部の互いに接触する部分が樹脂で形成されているので、接触時の衝撃を効率良く吸収することができる。【００３３】
第９の発明では、両柄部を接近させた際、所定の位置で両刃体の回動動作が止まるようになるので、第１及び第２板状部の間に樹脂体を設けない第８の発明の如き構造の鋏であっても必要な機能を有する鋏にすることができる。【００３４】
第１０の発明では、延出部を中途部に締結する際、中途部に対する延出部の締結部材周りの角度の微調整が可能になる。したがって、鋏における中途部と柄部との間の細かな角度を使用者の好みに応じて変更したものにすることができる。【００３５】
第１１の発明では、各柄部の厚み方向の寸法を使用者の好みに変更させることができるので、使い勝手の良い理髪用鋏にすることができる。【００３６】
第１２の発明では、柄部の外周縁部に使用者の人差し指及び中指を添えた際、第１及び第２板状部が各指に対して当該各指の延長方向に離間して接触するようになる。したがって、使用者の理髪作業時における鋏の開閉作業が安定するようになり、さらに使い勝手の良い理髪用鋏にすることができる。【００３７】
第１３の発明では、理髪用鋏を操作する際に柄部の外周縁部に指を添えると、３つの並設された板状部分が指を所定の間隔で支えるとともに各板状部分により指が柄部の厚み方向にしっかりと引っ掛かるようになる。したがって、指が柄部の厚み方向に滑り難くなるとともに理髪用鋏を保持し易くなるので、理髪用鋏の操作性を高めることができる。また、理髪用鋏の重量配分が刃部側よりも柄部側の方が重くなり、使用者の手の方に理髪用鋏の重心が位置するようになるので、刃部側が軽くなって理髪用鋏の操作性をさらに高めることができる。【００３８】
第１４の発明では、理髪用鋏を使用する際、柔軟性を有するリング体の内方に指を挿入するので、理髪用鋏の操作時における柄部に対する指の触感を良くすることができる。また、リング体は柔軟性を有しているので、各指輪部にリング体を簡単に連結させることができ、しかも、各指輪部とリング体とをしっかりと密着させることができる。さらに、第３板状部は、柔軟性を有するリング体を支点に第１又は第２板状部に対して傾動自在になる。したがって、理髪用鋏を操作する際に使用者の手の動きに対応するように第３板状部が傾くようになり、操作性の良い理髪用鋏にすることができる。【００３９】
第１５の発明では、リング体を使用して第３板状部を第１板状部か、或いは、第２板状部に取り付けた際、湾曲凹部に突起が入り込むので、第３板状部に対してリング体の中心線周りの周方向に不意に力が加わっても第３板状部が第１又は第２板状部に対してリング体の中心線周りの周方向に大きく回転してしまうのを防ぐことができる。【００４０】
第１６の発明では、使用者が理髪用鋏を使用する際に、使用者の指が第２板状部の第１板状部側端部に引っ掛かり難くなるので、理髪用鋏の操作性をさらに高めることができる。
【図面の簡単な説明】
【００４１】
【図１】本発明の実施形態１に係る理髪用鋏の正面図である。
【図２】本発明の実施形態１に係る理髪用鋏の背面図である。
【図３】本発明の実施形態１に係る理髪用鋏を背面側から見た斜視図である。
【図４】図１のIV矢視図である。
【図５】図１のV−V線における断面図である。
【図６】図１のVI−VI線における断面図である。
【図７】図１のVII部拡大図である。
【図８】図７のVIII−VIII線における断面図である。
【図９】本発明の実施形態２に係る図１相当図である。
【図１０】本発明の実施形態２に係る鋏を使用している状態を示す斜視図である。
【図１１】本発明の実施形態３に係る図４相当図である。
【図１２】本発明の実施形態４に係る図５相当図である。
【図１３】本発明の実施形態４に係る図６相当図である。
【図１４】本発明の実施形態５に係る図２相当図である。
【図１５】図１４のXV矢視図である。
【発明を実施するための形態】
【００４２】
以下、本発明の実施形態を図面に基づいて詳細に説明する。尚、以下の好ましい実施形態の説明は、本質的に例示に過ぎない。
【００４３】
《発明の実施形態１》
図１乃至図３は、本発明の実施形態１に係る理髪用鋏１を示す。該理髪用鋏１は、理容師等が理髪作業時に使用するものであり、刃部３、中途部４、柄部５が先端側から順に形成された一対の刃体２を備えている。該各刃体２は、交差するように両中途部４で重ねられていて、各中途部４には、両刃体２の重合方向に貫通する軸支孔４ａ（図４参照）がそれぞれ形成されている。そして、両軸支孔４ａには、両刃体２を互いに回動可能に連結する枢軸４ｂが嵌挿され、両柄部５の接近離間動作によって両刃部３が開閉するようになっている。
【００４４】
刃体２は、当該刃体２の先端側に配設され、且つ、正面視で先端先鋭の略三角形状をなす切出部材６と、該切出部材６の基端側に設けられた第１プレス体７（第１板状部）及び第２プレス体８（第２板状部）とを備えている。
【００４５】
切出部材６は、ステンレス鋼系の刃物鋼材からワイヤ放電加工で切り出すことにより形成されたものであり、刃部３及び中途部４に対応している。
【００４６】
切出部材６の柄部５側には、図４に示すように、厚みが略半分となるように表面側が段差状に窪んだ取付面部６ａが形成され、該取付面部６ａの略中央には、ネジ挿通孔６ｂが形成されている（図８参照）。
【００４７】
また、取付面部６ａの立壁部分６ｃは、図７に示すように、柄部５側に張り出すように緩やかに湾曲している。
【００４８】
尚、以下では、便宜上、一方の切出部材６を切出部材６Ａと呼び、他方の切出部材６を切出部材６Ｂと呼ぶ。
【００４９】
一方、第１プレス体７及び第２プレス体８は、アルミニウム合金材をプレス成形することにより形成されたものであり、本発明の柄部５に対応している。
【００５０】
第１プレス体７及び第２プレス体８は、図１乃至図４に示すように、枢軸４ｂの軸心に沿って対向するとともに刃体２の長手方向に沿って互いに平行に延びる平坦な板状をなしている。尚、以下では、便宜上、一方の刃体２における第１プレス体７及び第２プレス体８を第１プレス体７Ａ及び第２プレス体８Ａと呼び、他方の刃体２における第１プレス体７及び第２プレス体８を第１プレス体７Ｂ及び第２プレス体８Ｂと呼ぶことにする。また、本発明における第１プレス体７及び第２プレス体８は、平坦な板状をなしているが、多少湾曲したり、或いは、略Ｌ字状の断面形状をなす部分が外周縁部の一部にあってもよい。
【００５１】
第１プレス体７Ａは、枢軸４ｂの一端側に位置しており、図１に示すように、刃体２の基端側から順に、平面視で略三角形状をなす小指掛部７ａと、使用者の薬指を挿入可能な薬指付根側指輪部７ｂ（第１指輪部）と、外周縁部に人差し指及び中指を添えて操作する部分となるハンドル部７ｃと、該ハンドル部７ｃから中途部４側に向かって延びる延出部７ｄとを備え、薬指付根側指輪部７ｂは、小指掛部７ａ、ハンドル部７ｃ及び延出部７ｄよりも側方に湾曲状に張り出した形状をなしている。
【００５２】
小指掛部７ａには、略三角形状をなす開口部７０ａが形成され、ハンドル部７ｃには、略台形状をなす開口部７０ｂ、７０ｃが刃体２の長手方向に沿うように並んで形成されている。
【００５３】
つまり、第１プレス体７Ａの薬指付根側指輪部７ｂを除く領域には、それぞれ様々な形状をなす開口部７０ａ〜７０ｃが形成されている。
【００５４】
薬指付根側指輪部７ｂは、理髪作業の際に薬指を挿入した状態で薬指の付根側に位置するようになっている。
【００５５】
第１プレス体７Ａには、図５及び図６に示すように、４つのネジ挿通孔Ｈ１が形成されている。具体的には、４つのネジ挿通孔Ｈ１のうちの１つは小指掛部７ａにおける薬指付根側指輪部７ｂの反対側に形成され、４つのネジ挿通孔Ｈ１のうちの２つは薬指付根側指輪部７ｂとハンドル部７ｃとが連続する部分に形成され、４つのネジ挿通孔Ｈ１のうちの１つはハンドル部７ｃと延出部７ｄとが連続する部分に形成されている。
【００５６】
延出部７ｄの中途部４側は、図４に示すように、切出部材６Ａにおける取付面部６ａに載置可能になっていて、該取付面部６ａに延出部７ｄを載置した際、延出部７ｄの表面と切出部材６Ａの表面とが面一になるようになっている。
【００５７】
延出部７ｄにおける中途部４側の縁部７ｈは、図７に示すように、切出部材６Ａにおける取付面部６ａの立壁部分６ｃの形状に対応するように緩やかに湾曲する凹状をなしている。
【００５８】
そして、延出部７ｄの中央には、図８に示すように、ネジ挿通孔Ｈ２が１つ形成されていて、延出部７ｄを切出部材６Ａにおける取付面部６ａに載置し、且つ、ネジ挿通孔Ｈ２とネジ挿通孔６ｂとにビスＢ１（締結部材）を挿通させるとともに当該ビスＢ１とナットＮ１とで延出部７ｄと切出部材６Ａとを挟み込むことにより、切出部材６Ａに延出部７ｄが接続されるようになっている。このように、延出部７ｄは、枢軸４ｂの軸心に沿って延びる姿勢のビスＢ１を用いて切出部材６Ａに締結するので、締結する際に切出部材６Ａに対する延出部７ｄのビスＢ１周りの角度の微調整が可能になる。したがって、一方の刃体２における中途部４と柄部５との間の細かな角度を使用者の好みに応じて変更したものにすることができる。
【００５９】
第２プレス体８Ａは、枢軸４ｂの他端側に位置しており、図２に示すように、刃体２の基端側から順に、平面視で略三角形状をなす小指掛部８ａと、使用者の薬指を挿入可能な薬指先端側指輪部８ｂ（第２指輪部）と、外周縁部に人差し指及び中指を添えて操作する部分となるハンドル部８ｃとを備え、小指掛部８ａ、薬指先端側指輪部８ｂ及びハンドル部８ｃは、小指掛部７ａ、薬指付根側指輪部７ｂ及びハンドル部７ｃにそれぞれ対応する形状をなしている。
【００６０】
一方、第２プレス体８Ａには、第１プレス体７Ａの如き延出部７ｄが無く、切出部材６Ａと離間している（図３参照）。
【００６１】
薬指先端側指輪部８ｂは、理髪作業の際に薬指を挿入した状態で薬指の先端側に位置するようになっている。
【００６２】
小指掛部８ａには、小指掛部７ａに形成された開口部７０ａに対応する形状の開口部８０ａが形成され、ハンドル部８ｃには、ハンドル部７ｃに形成された開口部７０ｂ、７０ｃに対応する形状の開口部８０ｂ、８０ｃが形成されている。
【００６３】
また、第２プレス体８Ａにおける第１プレス体７Ａの各ネジ挿通孔Ｈ１に対応する位置には、図５及び図６に示すように、ネジ挿通孔Ｈ３がそれぞれ形成されている。
【００６４】
第１プレス体７Ａ及び第２プレス体８Ａの間には、図１に示すように、刃体２の長手方向に沿って延びる略角棒状の第１樹脂体９Ａ（橋絡部）が他方の刃体２側の縁部に沿うように設けられている。
【００６５】
すなわち、第１樹脂体９Ａは、第１プレス体７Ａ及び第２プレス体８Ａを橋絡しており、第１プレス体７Ａ及び第２プレス体８Ａの間の一部領域を埋めるように設けられている。
【００６６】
第１樹脂体９Ａの中途部には、他方の刃体２側に向かって突出する正面視で略三角形状をなす接点部９ａが設けられ、該接点部９ａは、第１樹脂体９Ａを射出成形により成形する際に一体に形成されている。
【００６７】
また、第１樹脂体９Ａにおけるネジ挿通孔Ｈ１、Ｈ３に対応する位置には、図５に示すように、ネジ挿通孔９ｂが形成され、ネジ挿通孔Ｈ１、ネジ挿通孔９ｂ及びネジ挿通孔Ｈ３にビスＢ２を順に挿通させるとともに当該ビスＢ２とナットＮ２とで第１プレス体７Ａ、第１樹脂体９Ａ及び第２プレス体８Ａを挟み込むことにより、当該第１プレス体７Ａ、第１樹脂体９Ａ及び第２プレス体８Ａが一体になるようになっている。
【００６８】
一方、第１プレス体７Ａ及び第２プレス体８Ａにおける第１樹脂体９Ａに対応しない領域において対向するネジ挿通孔Ｈ１、Ｈ３の間には、図６に示すように、ネジ挿通孔１１ａを有する円筒カラー１１（橋絡部）が設けられ、ネジ挿通孔Ｈ１、ネジ挿通孔１１ａ及びネジ挿通孔Ｈ３にビスＢ３を順に挿通させるとともに当該ビスＢ３とナットＮ３とで第１プレス体７Ａ、円筒カラー１１及び第２プレス体８Ａを挟み込むことにより、当該第１プレス体７Ａ、円筒カラー１１及び第２プレス体８Ａが一体になるようになっている。
【００６９】
尚、第１樹脂体９Ａ、ビスＢ２及びナットＮ２は本発明の寸法変更部１０ａを構成する一方、円筒カラー１１、ビスＢ３及びナットＮ３は本発明の寸法変更部１０ｂを構成しており、第１樹脂体９Ａ及び円筒カラー１１の寸法を変更することによって一方の刃体２における柄部５の厚み方向の寸法を変更可能になっている。したがって、一方の刃体２における柄部５の厚み方向の寸法を使用者の好みに変更させることができるので、使い勝手の良い理髪用鋏１にすることができる。
【００７０】
第１プレス体７Ｂは、枢軸４ｂの他端側に位置しており、図２に示すように、刃体２の基端側から順に、使用者の親指を挿入可能な親指先端側指輪部７ｅ（第１指輪部）と、正面視で略三角形状をなすハンドル部７ｆと、該ハンドル部７ｆから中途部４側に向かって延びる延出部７ｇとを備え、親指先端側指輪部７ｅは、ハンドル部７ｆ及び延出部７ｇよりも側方に湾曲状に張り出した形状をなしている。
【００７１】
親指先端側指輪部７ｅは、理髪作業の際に親指を挿入した状態で親指の先端側に位置するようになっている。
【００７２】
ハンドル部７ｆには、略三角形状をなす開口部７０ｄが形成されている。つまり、第１プレス体７Ｂの親指先端側指輪部７ｅを除く領域には、特徴的な形状の開口部７０ｄが形成されている。
【００７３】
第１プレス体７Ｂには、図５及び図６に示すように、４つのネジ挿通孔Ｈ４が形成されている。具体的には、４つのネジ挿通孔Ｈ４のうちの１つは親指先端側指輪部７ｅにおけるハンドル部７ｆの反対側に形成され、４つのネジ挿通孔Ｈ４のうちの２つは親指先端側指輪部７ｅとハンドル部７ｆとが連続する部分に形成され、４つのネジ挿通孔Ｈ４のうちの１つは、ハンドル部７ｆと延出部７ｇとが連続する部分に形成されている。
【００７４】
延出部７ｇの中途部４側は、図４に示すように、切出部材６Ｂの取付面部６ａに載置可能になっていて、該取付面部６ａに延出部７ｇを載置した際、延出部７ｇの表面と切出部材６Ｂの表面とが面一になるようになっている。
【００７５】
延出部７ｇにおける中途部４側の縁部７ｊは、図２に示すように、切出部材６Ｂにおける取付面部６ａの立壁部分６ｃの形状に対応するように緩やかに湾曲する凹状をなしている。
【００７６】
そして、延出部７ｇの中央には、図８に示すように、ネジ挿通孔Ｈ５が１つ形成されていて、延出部７ｇを切出部材６Ｂにおける取付面部６ａに載置し、且つ、当該取付面部６ａに形成されたネジ挿通孔６ｂとネジ挿通孔Ｈ５とにビスＢ４（締結部材）を挿通させるとともに当該ビスＢ４とナットＮ４とで切出部材６Ｂと延出部７ｇとを挟み込むことにより、当該切出部材６Ｂに延出部７ｇが接続されるようになっている。このように、延出部７ｇは、枢軸４ｂの軸心に沿って延びる姿勢のビスＢ４を用いて切出部材６Ｂに締結するので、締結する際に切出部材６Ｂに対する延出部７ｇのビスＢ４周りの角度の微調整が可能になる。したがって、他方の刃体２における中途部４と柄部５との間の細かな角度を使用者の好みに応じて変更したものにすることができる。
【００７７】
第２プレス体８Ｂは、枢軸４ｂの一端側に位置しており、図１に示すように、刃体２の基端側から順に、使用者の親指を挿入可能な親指付根側指輪部８ｅ（第２指輪部）と、正面視で略三角形状をなすハンドル部８ｆとを備え、親指付根側指輪部８ｅ及びハンドル部８ｆは、親指先端側指輪部７ｅ及びハンドル部７ｆにそれぞれ対応する形状をなしている。
【００７８】
一方、第２プレス体８Ｂには、第１プレス体７Ｂの如き延出部７ｇが無く、切出部材６Ｂと離間している（図３参照）。
【００７９】
親指付根側指輪部８ｅは、理髪作業の際に親指を挿入した状態で親指の付け根側に位置するようになっていて、親指付根側指輪部８ｅにおける刃体２の長手方向に沿う方向の寸法Ｄ１は、親指先端側指輪部７ｅにおける刃体２の長手方向に沿う方向の寸法Ｄ２に比べて大きく設定されている。
【００８０】
ハンドル部８ｆには、略三角形状をなす開口部８０ｄが形成されている。つまり、第２プレス体８Ｂの親指付根側指輪部８ｅを除く領域には、特徴的な形状の開口部８０ｄが形成されている。
【００８１】
また、第２プレス体８Ｂにおける第１プレス体７Ｂの各ネジ挿通孔Ｈ４に対応する位置には、図５及び図６に示すように、ネジ挿通孔Ｈ６がそれぞれ形成されている。
【００８２】
第１プレス体７Ｂ及び第２プレス体８Ｂの間には、図１に示すように、刃体２の長手方向に沿って延びる略角棒状の第２樹脂体９Ｂ（橋絡部）が一方の刃体２側の縁部に沿うように設けられている。
【００８３】
すなわち、第２樹脂体９Ｂは、第１プレス体７Ｂ及び第２プレス体８Ｂを橋絡しており、第１プレス体７Ｂ及び第２プレス体８Ｂの間の一部領域を埋めるように設けられていて、両柄部５を接近させて両刃部３を閉じた際、上記接点部９ａが接触してそれ以上の両刃体２の回動動作が阻止されるようになっている。
【００８４】
また、第２樹脂体９Ｂのネジ挿通孔Ｈ４、Ｈ６に対応する位置には、図５に示すように、ネジ挿通孔９ｃが形成され、ネジ挿通孔Ｈ６、ネジ挿通孔９ｃ及びネジ挿通孔Ｈ４にビスＢ５を順に挿通させるとともに当該ビスＢ５とナットＮ５とで第１プレス体７Ｂ、第２樹脂体９Ｂ及び第２プレス体８Ｂを挟み込むことにより、当該第１プレス体７Ｂ、第２樹脂体９Ｂ及び第２プレス体８Ｂが一体になるようになっている。
【００８５】
一方、第１プレス体７Ｂ及び第２プレス体８Ｂにおける第２樹脂体９Ｂに対応しない領域において対向するネジ挿通孔Ｈ４、Ｈ６の間には、図６に示すように、ネジ挿通孔１２ａを有する円筒カラー１２（橋絡部）が設けられ、ネジ挿通孔Ｈ６、ネジ挿通孔１２ａ及びネジ挿通孔Ｈ４にビスＢ６を順に挿通させるとともに当該ビスＢ６とナットＮ６とで第１プレス体７Ｂ、円筒カラー１２及び第２プレス体８Ｂを挟み込むことにより、当該第１プレス体７Ｂ、円筒カラー１２及び第２プレス体８Ｂが一体になるようになっている。
【００８６】
尚、第２樹脂体９Ｂ、ビスＢ５及びナットＮ５は本発明の寸法変更部１０ｃを構成する一方、円筒カラー１２、ビスＢ６及びナットＮ６は本発明の寸法変更部１０ｄを構成しており、第２樹脂体９Ｂ及び円筒カラー１２の寸法を変更することによって他方の刃体２における柄部５の厚み方向の寸法を変更することができるようになっている。したがって、他方の刃体２における柄部５の厚み方向の寸法を使用者の好みに変更させることができるので、使い勝手の良い理髪用鋏１にすることができる。
【００８７】
また、第１樹脂体９Ａ及び円筒カラー１１は、第２樹脂体９Ｂ及び円筒カラー１２よりも柄部５の厚み方向における寸法が大きく形成されている。したがって、ハンドル部７ｃ、８ｃの外周縁部に使用者の人差し指及び中指を添えた際、ハンドル部７ｃ、８ｃが各指に対して当該各指の延長方向に離間して接触するようになるので、使用者の理髪作業時における理髪用鋏１の開閉作業が安定するようになり、使い勝手の良い理髪用鋏１にすることができる。
【００８８】
以上より、本発明の実施形態１によると、理髪用鋏１を組み立てた際、各柄部５における第１プレス体７及び第２プレス体８の間の第１及び第２樹脂体９Ａ、９Ｂ、及び、円筒カラー１１、１２を除く部分が構造物の無い空間になる。したがって、鋏１の柄部５側が軽量になり、理髪作業時に柄部５を動かす使用者の負荷を減らすことができる。
【００８９】
また、柄部５の表裏面を構成する部品が金属板によって形成されたものであるので、その表面を鏡面仕上げするとしても、柄部５を鋳造により形成する一般的な理髪用鋏１に比べて手間が掛からない。したがって、鋏１を製造する際の作業者の作業工数を減らすことができ、安価な理髪用鋏１にすることができる。
【００９０】
尚、一方の刃体２の中途部４における枢軸４ｂの一端側に第１プレス体７Ａの延出部７ｄが接続される一方、他方の刃体２の中途部４における枢軸４ｂの他端側に第１プレス体７Ｂの延出部７ｇが接続され、さらには、両第２プレス体８Ａ、８Ｂが各中途部４に接続されていないので、組み立てた理髪用鋏１の両柄部５を接近させた場合において、各第２プレス体８Ａ、８Ｂが相手方の刃体２に接触して理髪用鋏１が閉じなくなるのを回避する構造になっている。
【００９１】
また、第１プレス体７及び第２プレス体８には、それぞれ様々な形状をなす複数の開口部７０ａ〜７０ｄ、８０ａ〜８０ｄが形成されているので、各柄部５が複数のフレームを組み合わせて形成されたような見た目になり、鋏１全体の意匠性を高めることができる。
【００９２】
また、親指付根側指輪部８ｅは、対向する親指先端側指輪部７ｅに比べて大きな寸法に形成されているので、使用者が理髪作業を行う際、親指が親指付根側指輪部８ｅの範囲内において刃体２に対して親指先端側指輪部７ｅを回動支点に回動し易くなる。したがって、理髪作業時において鋏１を使用者の好みに合わせた姿勢に簡単に切り替えることができるようになる。特に、本発明の実施形態１では、親指付根側指輪部８ｅは、対向する親指先端側指輪部７ｅに比べて刃体２の長手方向に沿う方向に幅広な寸法に設定されているので、親指を刃体２の長手方向に揺らして鋏１に対する手の位置を変更する場合において鋏１の姿勢が切り替わり易くなり、理髪作業を効率良く行うことができるようになる。
【００９３】
また、第１及び第２樹脂体９Ａ、９Ｂによって、第１プレス体７と第２プレス体８との間から第１及び第２樹脂体９Ａ、９Ｂが見えるようになり、柄部５の意匠に変化が加わるので、鋏１の意匠性のさらに高めることができる。
【００９４】
また、両柄部５を接近させた際、両柄部５の互いに接触する部分（接点部９ａ及び第２樹脂体９Ｂ）が樹脂で形成されているので、接触時の衝撃を効率良く吸収することができる。
【００９５】
尚、本発明の実施形態１では、親指付根側指輪部８ｅが対向する親指先端側指輪部７ｅに比べて大きな寸法に形成されているが、親指先端側指輪部７ｅが親指付根側指輪部８ｅに比べて大きな寸法に形成された鋏１であってもよい。また、薬指先端側指輪部８ｂが対向する薬指付根側指輪部７ｂに比べて大きな寸法に形成された鋏１であってもよいし、薬指付根側指輪部７ｂが薬指先端側指輪部８ｂに比べて大きな寸法に形成された鋏１であってもよい。
【００９６】
また、本発明の実施形態１では、第１樹脂体９Ａに接点部９ａを設けているが、第２樹脂体９Ｂに第１樹脂体９Ａ側に向かって突出する接点部９ａを設けるようにしてもよい。
【００９７】
また、本発明の実施形態１では、接点部９ａを第１樹脂体９Ａの本体部分と一体成形により形成しているが、接点部９ａを第１樹脂体９Ａの本体部分とは別に形成して後から組み立てるようにしてもよい。
【００９８】
また、本発明の実施形態１では、切出部材６Ａ、６Ｂに対して第１プレス体７Ａ、７ＢをビスＢ１、Ｂ４による締結で接続しているが、接着剤やロウ付けによる接合で切出部材６Ａ、６Ｂに第１プレス体７Ａ、７Ｂを接続するようにしてもよい。
【００９９】
また、本発明の実施形態１では、第１樹脂体９Ａ及び円筒カラー１１における柄部５の厚み方向における寸法が第２樹脂体９Ｂ及び円筒カラー１２よりも大きく形成されているが、第１樹脂体９Ａ及び円筒カラー１１における柄部５の厚み方向における寸法が第２樹脂体９Ｂ及び円筒カラー１２と同じであってもよいし、小さく形成されていてもよい。
【０１００】
また、本発明の実施形態１では、柄部５の一部をプレス成形により形成した第１プレス体７及び第２プレス体８で構成しているが、当該第１プレス体７及び第２プレス体８を金属板から削り出した板状部材で構成するようにしてもよい。
【０１０１】
《発明の実施形態２》
図９及び図１０は、本発明の実施形態２に係る理髪用鋏１を示す。この実施形態２では、各柄部５の構造の一部が実施形態１と異なるだけでその他は実施形態１と同じであるため、以下、実施形態１と異なる部分のみを説明する。
【０１０２】
実施形態２の第１プレス体７Ａ及び第２プレス体８Ａの間、及び、第１プレス体７Ｂ及び第２プレス体８Ｂの間には、それぞれ第１樹脂体９Ａ及び第２樹脂体９Ｂが設けられておらず、対応するネジ挿通孔Ｈ１、Ｈ３の間及びネジ挿通孔Ｈ４、Ｈ６の間は、全て円筒カラー１１、１２によって橋絡されている。
【０１０３】
また、第２プレス体８Ｂの親指付根側指輪部８ｅにおける中途部４の反対側には、親指付根側指輪部８ｅの内側領域と外側領域とを連通させるとともに幅寸法Ｄ３が親指の幅寸法に対応する切欠部８ｉが形成されている。したがって、例えば、図１０に示すように、使用者が人差し指を鋏１の先端側に向けて鋏１の中途部４に添えた状態にするとともに親指先端側指輪部７ｅ及び親指付根側指輪部８ｅに対して親指を斜めの姿勢にした状態で鋏を持つような場合において、親指を切欠部８ｉに嵌め込むことができるようになる。それ故に、使用者は、上述の如き特殊な姿勢で鋏１を持つ場合であっても、親指に負荷を掛けることなく親指を柄部５にしっかりと引っ掛けて鋏１の開閉動作を行うことができる。
【０１０４】
さらに、実施形態２の延出部７ｇには、枢軸４ｂの軸心に沿って一方の刃体２側に突出するピン７ｉ（突出部）が形成され、該ピン７ｉは、両柄部５を接近させて両刃部３を閉じた際、延出部７ｄの縁部に接触してそれ以上の両刃体２の回動動作を阻止するようになっている。したがって、両柄部５を接近させた際、所定の位置で両刃体２の回動動作が止まるようになり、第１及び第２プレス体７、８の間に第１及び第２樹脂体９Ａ、９Ｂを設けない実施形態１の如き構造の鋏１であっても必要な機能を有する鋏１にすることができる。
【０１０５】
尚、本発明の実施形態２では、ピン７ｉが延出部７ｇに形成されているが、ピン７ｉを延出部７ｄに形成してもよく、両柄部５を接近させて両刃部３を閉じた際、延出部７ｇの縁部にピン７ｉを接触させてそれ以上の両刃体２の回動動作を阻止する構造であってもよい。
【０１０６】
《発明の実施形態３》
図１１は、本発明の実施形態３に係る理髪用鋏１を示す。この実施形態３では、第１プレス体７Ｂの一部構造が実施形態１と異なるだけでその他は実施形態１と同じであるため、以下、実施形態１と異なる部分のみを説明する。
【０１０７】
実施形態３の第１プレス体７Ｂの延出部７ｇは、鋏１を把持した状態の使用者の掌から離れる方向に断面が鈍角なＶ字状となるように折り曲げられている。したがって、例えば、使用者が人差し指を鋏１の先端側に向けて鋏１の中途部４に添えた状態にするとともに親指先端側指輪部７ｅ及び親指付根側指輪部８ｅに対して親指を斜めの姿勢にした状態で鋏１を持つような場合において、親指の延長方向に親指先端側指輪部７ｅ及び親指付根側指輪部８ｅの貫通方向が沿うようになる。したがって、親指先端側指輪部７ｅ及び親指付根側指輪部８ｅから親指に加わる負荷が少なくなり、使用者は、上述の如き特殊な姿勢で鋏１を持つ場合であっても、親指を柄部５にしっかりと引っ掛けて鋏１の開閉動作を簡単に行うことができる。
【０１０８】
尚、本発明の実施形態３では、延出部７ｇを断面がＶ字状となるように折り曲げているが、これに限らず、例えば、延出部７ｇを撓みやすい素材の金属板で形成することによって、使用者が鋏１を把持した際に柄部５が使用者の掌から離れるように撓んで親指の延長方向に親指先端側指輪部７ｅ及び親指付根側指輪部８ｅの貫通方向が沿うようになる構造にしてもよい。
【０１０９】
《発明の実施形態４》
図１２及び図１３は、本発明の実施形態４に係る理髪用鋏１を示す。この実施形態４では、柄部５の一部構造が実施形態１と異なるだけでその他は実施形態１と同じであるため、以下、実施形態１と異なる部分のみを説明する。
【０１１０】
実施形態４では、実施形態１の第２プレス体８Ａ及び第２プレス体８Ｂが樹脂材で形成された第２板状部８Ａ及び第２板状部８Ｂになっており、実施形態１の如き第１樹脂体９Ａ及び第２樹脂体９Ｂが設けられていない。
【０１１１】
また、実施形態４では、実施形態１の如きネジ挿通孔Ｈ３、Ｈ６が形成されておらず、第２プレス体８Ａ、８Ｂにおいてネジ挿通孔Ｈ３、Ｈ６が形成されていた部分には、ボス部８０ｅ、８０ｆがそれぞれ突設されている。
【０１１２】
また、第２板状部８Ａ、８Ｂの外周縁部には、対応する第１板状部７Ａ、７Ｂの外周縁部に向かって延出する外周壁部８０ｇ、８０ｈが形成されている。
【０１１３】
第２板状部８Ａ、ボス部８０ｅ及び外周壁部８０ｇは、射出成形により一体成形されている。
【０１１４】
また、第２板状部８Ｂ、ボス部８０ｆ及び外周壁部８０ｈも、射出成形により一体成形されている。
【０１１５】
そして、ネジ挿通孔Ｈ１にビスＢ２、Ｂ３を挿通させるとともに当該ビスＢ２、Ｂ３をボス部８０ｅに螺合させることにより、第１板状部７Ａと第２板状部８Ａとが一体になり、第１板状部７Ａ、第２板状部８Ａ及び外周壁部８０ｇによって一方の柄部５に中空部５ａが形成されるようになっている。
【０１１６】
一方、ネジ挿通孔Ｈ４にビスＢ５、Ｂ６を挿通させるとともに当該ビスＢ５、Ｂ６をボス部８０ｆに螺合させることにより、第１板状部７Ｂと第２板状部８Ｂとが一体になり、第１板状部７Ｂ、第２板状部８Ｂ及び外周壁部８０ｈによって他方の柄部５に中空部５ｂが形成されるようになっている。
【０１１７】
尚、実施形態４の寸法変更部１０ａは、ボス部８０ｅ及びビスＢ２で構成され、実施形態４の寸法変更部１０ｂは、ボス部８０ｅ及びビスＢ３で構成され、実施形態４の寸法変更部１０ｃは、ボス部８０ｆ及びビスＢ５で構成され、実施形態４の寸法変更部１０ｄは、ボス部８０ｆ及びビスＢ６で構成されている。
【０１１８】
以上より、本発明の実施形態４によると、柄部５の裏面を構成する部品が樹脂材で形成されたものであるので、その表面を鏡面仕上げする必要が無く、柄部５を鋳造により形成する一般的な理髪用鋏に比べて手間を掛けずに製造することができる。
【０１１９】
尚、本発明の実施形態４では、第２板状部８Ａ、８Ｂの外周縁部に外周壁部８０ｇ、８０ｈを設けているが、当該外周壁部８０ｇ、８０ｈを設けることは必須ではない。
【０１２０】
また、本発明の実施形態４では、第２板状部８Ａ、ボス部８０ｅ及び外周壁部８０ｇを射出成形により一体成形するとともに、第２板状部８Ｂ、ボス部８０ｆ及び外周壁部８０ｈを射出成形により一体成形しているが、それぞれ別々に形成した部品を接着剤等で一体にして完成させるような構造であってもよい。
【０１２１】
《発明の実施形態５》
図１４及び図１５は、本発明の実施形態５に係る理髪用鋏１を示す。この実施形態５では、各柄部５の構造の一部が実施形態１と異なるだけでその他は実施形態１と同じであるため、以下、実施形態１と異なる部分のみを説明する。
【０１２２】
実施形態５の一方の刃体２における柄部５の第２プレス体８Ａの中途部４側には、第１プレス体７Ａ側に折り曲げられた第１折曲部８ｊが形成されている。
【０１２３】
実施形態５の一方の刃体２における柄部５は、板状のアルミニウム合金材をプレス成形することにより得た第３プレス体１３を備えている。
【０１２４】
第３プレス体１３は、第２プレス体８Ａの表面側に所定の間隔をあけて平行に延びるよう配設された平坦な形状をなしていて、第３プレス体１３と第２プレス体８Ａとの間の間隔は、第２プレス体８Ａと第１プレス体７Ａとの間の間隔よりも狭く設定されている。
【０１２５】
第３プレス体１３は、刃体２の基端側から順に、平面視で略三角形状をなす小指掛部１３ａと、使用者の薬指を挿入可能な補助指輪部１３ｂ（第３指輪部）と、外周縁部に人差し指及び中指を添えて操作する部分となるハンドル部１３ｃとを備え、小指掛部１３ａ、補助指輪部１３ｂ及びハンドル部１３ｃは、小指掛部８ａ、薬指先端側指輪部８ｂ及びハンドル部８ｃにそれぞれ対応する形状をなしている。
【０１２６】
小指掛部１３ａには、小指掛部８ａに形成された開口部８０ａに対応する形状の開口部１３ｆが形成され、ハンドル部１３ｃには、ハンドル部８ｃに形成された開口部８０ｂ、８０ｃに対応する形状の開口部１３ｇ、１３ｈが形成されている。
【０１２７】
第３プレス体１３の小指掛部１３ａには、裏面側に開口する湾曲凹部１３ｄが形成されている。
【０１２８】
一方、第３プレス体１３におけるハンドル部１３ｃの中途部４側には、上記第１折曲部８ｊに対応するように第２プレス体８Ａ側に折り曲げられた第２折曲部１３ｅが形成されている。
【０１２９】
第２プレス体８Ａと第３プレス体１３との間には、当該第２プレス体８Ａと第３プレス体１３とを連結するリング体１５（連結部）が設けられている。
【０１３０】
リング体１５は、使用者の指が挿入可能に構成され、柔軟性を有するゴム材で形成されている。
【０１３１】
リング体１５は、薬指先端側指輪部８ｂ及び補助指輪部１３ｂの両方に嵌合することにより、第２プレス体８Ａと第３プレス体１３とを連結するようになっている。
【０１３２】
実施形態５の第２プレス体８Ａにおける小指掛部８ａのビスＢ３は、小指掛部８ａを貫通していて、その先端部分が小指掛部８ａの表面から突出している。
【０１３３】
ビスＢ３先端の小指掛部８ａの表面から突出している部分は、本発明の突起１４を構成しており、該突起１４は、第３プレス体１３の湾曲凹部１３ｄに遊嵌している。
【０１３４】
以上より、本発明の実施形態５によると、理髪用鋏１を操作する際に柄部５の外周縁部に人差し指及び中指を添えると、第１プレス体７Ａ、第２プレス体８Ａ及び第３プレス体１３からなる３つの並設された板状部分が人差し指及び中指を所定の間隔で支えるとともに各板状部分により人差し指及び中指が柄部５の厚み方向にしっかりと引っ掛かるようになる。したがって、人差し指及び中指が柄部５の厚み方向に滑り難くなるとともに理髪用鋏１を保持し易くなるので、理髪用鋏１の操作性を高めることができる。
【０１３５】
また、理髪用鋏１の重量配分が刃部３側よりも柄部５側の方が重くなり、使用者の手の方に理髪用鋏１の重心が位置するようになるので、刃部３側が軽くなって理髪用鋏１の操作性をさらに高めることができる。
【０１３６】
また、理髪用鋏１を使用する際、柔軟性を有するリング体１５の内方に指を挿入するので、理髪用鋏１の操作時における柄部５に対する指の触感を良くすることができる。
【０１３７】
また、リング体１５は柔軟性を有しているので、薬指先端側指輪部８ｂ及び補助指輪部１３ｂにリング体１５を簡単に連結させることができ、しかも、薬指先端側指輪部８ｂ及び補助指輪部１３ｂとリング体とをしっかりと密着させることができる。
【０１３８】
さらに、第３プレス体１３は、柔軟性を有するリング体１５を支点に第２プレス体８Ａに対して傾動自在になる。したがって、理髪用鋏１を操作する際に使用者の手の動きに対応するように第３プレス体１３が傾くようになり、操作性の良い理髪用鋏１にすることができる。
【０１３９】
また、リング体１５を使用して第３プレス体１３を第２プレス体８Ａに取り付けた際、湾曲凹部１３ｄに突起１４が入り込むので、第３プレス体１３に対してリング体１５の中心線周りの周方向に不意に力が加わっても第３プレス体１３が第２プレス体８Ａに対してリング体１５の中心線周りの周方向に大きく回転してしまうのを防ぐことができる。
【０１４０】
さらに、柄部５には、第１折曲部８ｊ及び第２折曲部１３ｅが形成されているので、使用者が理髪用鋏を使用する際に、使用者の指が第２プレス体８Ａ及び第３プレス体１３の第１プレス体７Ａ側端部に引っ掛かり難くなり、理髪用鋏１の操作性をさらに高めることができる。
【０１４１】
尚、本発明の実施形態５では、第３プレス体１３が第２プレス体８Ａの表面側に設けられているが、第１プレス体７Ａの表面側に設ける構成であってもよい。この場合、補助指輪部１３ｂは、第１プレス体７Ａの薬指付根側指輪部７ｂに対応する位置に形成され、リング体１５を薬指付根側指輪部７ｂと補助指輪部１３ｂに嵌合して第１プレス体７Ａと第３プレス体１３とを連結する。また、突起１４は、第１プレス体７Ａの表面側に形成して、第３プレス体１３の湾曲凹部１３ｄに遊嵌させる。
【０１４２】
また、本発明の実施形態５では、第３プレス体１３が金属板で形成されているが、樹脂材から形成されたものであってもよい。
【０１４３】
また、本発明の実施形態５では、第２プレス体８Ａと第３プレス体１３とをリング体１５で連結しているが、これに限らず、例えば、実施形態１のように、ビス、ナット及び円筒カラーを用いて複数個所において第２プレス体８Ａと第３プレス体１３とを連結するようにしてもよい。
【産業上の利用可能性】
【０１４４】
本発明は、理髪時に使用する理髪用鋏に適している。
【符号の説明】
【０１４５】
１        理髪用鋏
２        刃体
３        刃部
４        中途部
４ａ        軸支孔
４ｂ        枢軸
５        柄部
７、７Ａ、７Ｂ        第１プレス体（第１板状部）
７ｂ        薬指付根側指輪部（第１指輪部）
７ｄ、７ｇ        延出部
７ｅ        親指先端側指輪部（第１指輪部）
７ｉ        ピン（突出部）
８、８Ａ、８Ｂ        第２プレス体（第２板状部）
８ｂ        薬指先端側指輪部（第２指輪部）
８ｅ        親指付根側指輪部（第２指輪部）
８ｉ        切欠部
８ｊ        第１折曲部
９Ａ        第１樹脂体（橋絡部）
９Ｂ        第２樹脂体（橋絡部）
９ａ        接点部
１０ａ〜１０ｄ        寸法変更部
１１        円筒カラー（橋絡部）
１２        円筒カラー（橋絡部）
１３        第３プレス体（第３板状部）
１３ｂ        補助指輪部（第３指輪部）
１３ｄ        湾曲凹部
１４        突起
１５        リング体（連結部）
Ｂ１、Ｂ４        ビス（締結部材）
【図１】
2019163569.tif 000003
【図２】
2019163569.tif 000004
【図３】
2019163569.tif 000005
【図４】
2019163569.tif 000006
【図５】
2019163569.tif 000007
【図６】
2019163569.tif 000008
【図７】
2019163569.tif 000009
【図８】
2019163569.tif 000010
【図９】
2019163569.tif 000011
【図１０】
2019163569.tif 000012
【図１１】
2019163569.tif 000013
【図１２】
2019163569.tif 000014
【図１３】
2019163569.tif 000015
【図１４】
2019163569.tif 000016
【図１５】
2019163569.tif 000017
【国際調査報告】
2019163569.tif 000018
2019163569.tif 000019
2019163569.tif 000020
2019163569.tif 000021